(57)【要約】  【課題】  側溝を設けずに複数の排水口に向かって勾配をとる必要がある露出防水や、複数の会所に向かって勾配をとる会所形式の工場床など複雑な面構成が求められる場合でも、容易に下地勾配を設定できるようにする。  【解決手段】  床面に排水勾配を付けるにあたり、弾性的に伸縮可能な線材５の両端にフック６を設けてなる第一冶具４と、第一冶具に対する係止部８を有する高さ調節可能な第二冶具７とを用い、第一冶具を床下地又は床型枠に、前記線材が排水を導きたい位置を頂点Ａとする平面視三角形となるように張り渡し、第二冶具の高さ調節によって残り二つの頂点Ｂ，Ｃが前記頂点Ａより高くなるように前記線材を傾斜させ、当該線材で囲まれた三角形の床面部分を線材のレベルまで平坦に施工する。  【選択図】  図１
2006265931.tif 000002
【特許請求の範囲】
【請求項１】
床面に排水勾配を付けるにあたり、弾性的に伸縮可能な線材の両端にフックを設けてなる第一冶具と、第一冶具に対する係止部を有する高さ調節可能な第二冶具とを用い、第一冶具を床下地又は床型枠に、前記線材が排水を導きたい位置を頂点Ａとする平面視三角形となるように張り渡し、且つ、床下地又は床型枠に取り付ける第二冶具の高さ調節によって残り二つの頂点Ｂ，Ｃが前記頂点Ａより高くなるように前記線材を傾斜させ、当該線材で囲まれた三角形の床面部分を線材のレベルまで平坦に施工することを特徴とする床排水勾配の施工方法。
【請求項２】
請求項１に記載の床排水勾配の施工方法において、前記第一冶具として、弾性的に伸縮可能な線材が、フックに連結した伸縮可能な弾性線材と、各弾性線材の端末に固定された糸挟持具に着脱自在に連結した非伸縮性糸とで構成された第一冶具を用いることを特徴とする床排水勾配の施工方法。
【請求項３】
請求項１又は２に記載の床排水勾配の施工方法において、前記第二冶具として、矩形状の合成樹脂板に３本の平行な折り曲げ線を設けて、中央の折り曲げ線から逆Ｖ字状に折り曲げられる中央板部と、両側の折り曲げ線から中央板部に対して逆方向に折り曲げられる両側板部とを形成し、前記中央板部の逆Ｖ字状に折り曲げることにより形成される稜線部分に切欠き孔からなる係止部を形成してなる第二冶具を用いることを特徴とする床排水勾配の施工方法。
【発明の詳細な説明】
【技術分野】
【０００１】
本発明は、例えば、屋上防水層や常時水洗いされる食品工場の床面等に排水勾配をつけるための床排水勾配の施工方法に関する。
【背景技術】
【０００２】
屋上防水層や常時水洗いされる食品工場の床面等を排水勾配がつけられた状態に仕上げる場合、床下地である床コンクリートの打設やモルタル塗りの工程において、排水勾配を設定している。その方法は、目標とする高さを示した目印付きの棒材（鉄筋にテープを巻いて目印としたもの等）を床面の幾つかの地点に立て、これらの点在する目印と排水口の高さ関係を目安にコンクリート打設やモルタル塗りを行うというものである。
【０００３】
しかしながら、こうした点状の目安では、屋上防水層のうち、側溝を設けずに複数の排水口に向かって勾配をとる必要がある露出防水や、複数の会所に向かって勾配をとる会所形式の工場床など複雑な面構成が求められる場合の対応が困難である。そのため、勾配不良のまま防水層やタイル等による床仕上げが行われ、既存建物の多くの事例に見られるように、床仕上げ面に勾配不良による水溜りが生じてしまう。また、防水層やタイル仕上げ層の改修時にも、抜本的な勾配改修は困難であり、下地なりに施工されてしまうことが多い。
【０００４】
尚、特許文献１には、床面に勾配を有する樹脂成形品を貼り付ける排水勾配の施工方法が記載されている。この方法は、熟練作業者でなくても容易に排水勾配を設定できる点で優れているが、排水溝の溝底に勾配をつけるといった限られた場所にしか適用できないという点に問題がある。
【０００５】
【特許文献１】特開平４−２９７６４０号公報
【発明の開示】
【発明が解決しようとする課題】
【０００６】
本発明は、上記の点に留意して成されたものであって、その目的とするところは、側溝を設けずに複数の排水口に向かって勾配をとる必要がある露出防水や、複数の会所に向かって勾配をとる会所形式の工場床など複雑な面構成が求められる場合でも、容易に下地勾配を設定できる床排水勾配の施工方法を提供することにある。
【課題を解決するための手段】
【０００７】
上記の課題を解決するために、本発明が講じた技術的手段は、次の通りである。即ち、請求項１に記載の発明による床排水勾配の施工方法は、床面に排水勾配を付けるにあたり、弾性的に伸縮可能な線材の両端にフックを設けてなる第一冶具と、第一冶具に対する係止部を有する高さ調節可能な第二冶具とを用い、第一冶具を床下地又は床型枠に、前記線材が排水を導きたい位置を頂点Ａとする平面視三角形となるように張り渡し、且つ、床下地又は床型枠に取り付ける第二冶具の高さ調節によって残り二つの頂点Ｂ，Ｃが前記頂点Ａより高くなるように前記線材を傾斜させ、当該線材で囲まれた三角形の床面部分を線材のレベルまで平坦に施工することを特徴としている。
【０００８】
請求項２に記載の発明による床排水勾配の施工方法は、請求項１に記載の床排水勾配の施工方法において、前記第一冶具として、弾性的に伸縮可能な線材が、フックに連結した伸縮可能な弾性線材と、各弾性線材の端末に固定された糸挟持具に着脱自在に連結した非伸縮性糸とで構成された第一冶具を用いることを特徴としている。
【０００９】
請求項３に記載の発明による床排水勾配の施工方法は、請求項１又は２に記載の床排水勾配の施工方法において、前記第二冶具として、矩形状の合成樹脂板に３本の平行な折り曲げ線を設けて、中央の折り曲げ線から逆Ｖ字状に折り曲げられる中央板部と、両側の折り曲げ線から中央板部に対して逆方向に折り曲げられる両側板部とを形成し、前記中央板部の逆Ｖ字状に折り曲げることにより形成される稜線部分に切欠き孔からなる係止部を形成してなる第二冶具を用いることを特徴としている。
【発明の効果】
【００１０】
請求項１に記載の発明によれば、線材で囲まれた三角形の頂点Ａ，Ｂ，Ｃのうち、頂点Ａが最も低いので、線材のレベルまで平坦に施工することにより、三角形の床面部分の何れの位置にある排水も頂点Ａへ向けて導かれることになる。このように、第一冶具と第二冶具を用いて、実際の床面で必要とされる排水勾配を平面視三角形に張り渡した３本のライン（第一冶具の線材）による面として表現するので、点状の目安に基づいて所定の勾配となるようにコンクリート打設やモルタル塗りを行う場合よりも施工が容易である。
【００１１】
しかも、張り渡される平面視三角形を基本とし、これを必要個数連続する状態に張り渡して、床面全体を複数の平面視三角形に区画すること、換言すれば、床面全体の排水勾配を平面視三角形の集まりとして表現することができるので、例えば、側溝を設けずに複数の排水口に向かって勾配をとる必要がある露出防水や、複数の会所に向かって勾配をとる会所形式の工場床など複雑な面構成が求められる場合であっても、容易に下地勾配を設定できる。従って、床仕上げ面に生じていた水溜り現象が解消され、防水層の耐久性や床面の衛生状態を改善するなど、新築及び改修工事における品質向上に寄与し得るのである。
【００１２】
尚、請求項１に記載の床排水勾配の施工方法において、第一冶具の弾性的に伸縮可能な線材としては、全体をゴム紐やバネのような弾性線材としてもよく、一部をゴム紐やバネのような弾性線材とし、残りを水糸として使用されるような木綿やナイロン製のより糸、テグス等の非伸縮性糸としてもよい。いずれの場合も、線材が弾性的に伸縮するため、両端にフックが設けられていることと相まって、平面視三角形にピンと張り渡すことが容易であり、作業者がうっかり踏みつけても断線し難い等の効果がある。
【００１３】
殊に、請求項２に記載の発明によれば、前記第一冶具として、弾性的に伸縮可能な線材が、フックに連結した伸縮可能な弾性線材と、各弾性線材の端末に固定された糸挟持具に着脱自在に連結した非伸縮性糸とで構成された第一冶具を用いるので、非伸縮性糸の長さを選択することで、長さの異なる何種類もの第一冶具が得られることになり、請求項１に記載の床排水勾配の施工方法を安価に実施し得るという効果がある。
【００１４】
また、請求項３に記載の発明によれば、請求項１又は２に記載の床排水勾配の施工方法において、前記第二冶具として、矩形状の合成樹脂板に３本の平行な折り曲げ線を設けて、中央の折り曲げ線から逆Ｖ字状に折り曲げられる中央板部と、両側の折り曲げ線から中央板部に対して逆方向に折り曲げられる両側板部とを形成し、前記中央板部の逆Ｖ字状に折り曲げることにより形成される稜線部分に切欠き孔からなる係止部を形成してなる第二冶具を用いるので、第二冶具を床コンクリートやモルタルに残置させても、床の強度上、問題にならず、第二冶具の取外しが不要なため、施工が容易である。また、第二冶具が合成樹脂板に３本の平行な折り曲げ線を設け、稜線となる部分に切欠き孔を形成しただけの簡単な構成であるため、安価に実施できるという効果がある。
【発明を実施するための最良の形態】
【００１５】
以下、本発明の実施形態を図１〜図９に基づいて説明する。図１、図２において、１は屋上防水層（露出防水）の床下地となる床コンクリート、２はパラペット、３は排水口、
４は弾性的に伸縮可能な線材５の両端にフック６を設けてなる第一冶具であり、平面視三角形に張り渡されている。７は第一冶具４に対する係止部８を有する高さ調節可能な第二冶具である。
【００１６】
第一冶具４の弾性的に伸縮可能な線材５としては、全体をゴム紐やバネ（例えば、コイルスプリング）のような弾性線材としてもよく、図３に示すように、長手方向の一部をゴム紐やバネのような弾性線材５ａとし、残りを水糸として使用されるような木綿や合成樹脂製のより糸、テグス等の非伸縮性糸５ｂとしてもよい。
【００１７】
特に、図４に示すように、弾性的に伸縮可能な線材５が、フック６に連結した伸縮可能な弾性線材５ａと、各弾性線材５ａの端末に固定された糸挟持具（これは、釣り仕掛けに用いられる自動ハリス止めと同じ機構である。）５ｃに着脱自在に連結した非伸縮性糸５ｂとで構成された第一冶具４であれば、非伸縮性糸５ｂの長さを選択・変更することで、長さの異なる何種類もの第一冶具４作製できるので、経済的である。また、いずれの場合も、線材５が弾性的に伸縮するため、両端にフック６が設けられていることと相まって、平面視三角形にピンと張り渡すことが容易であり、作業者がうっかり踏みつけても断線する虞がない。
【００１８】
前記第二冶具７は、図５、図６に示すように、矩形状の合成樹脂板に３本の平行な折り曲げ線ａ，ｂ，ｃを設けて、中央の折り曲げ線ａから逆Ｖ字状に折り曲げられる中央板部７ａと、両側の折り曲げ線ｂ，ｃから中央板部７ａに対して逆方向に折り曲げられる両側板部７ｂ，７ｃとを形成し、前記中央板部７ａの逆Ｖ字状に折り曲げることにより形成される稜線部分に切欠き孔を設けて係止部８に形成したものである。中央の折り曲げ線ａは、例えば合成樹脂板の表面をＶ溝状にカットすることによって形成され、両側の折り曲げ線ｂ，ｃは合成樹脂板の裏面をＶ溝状にカットすることによって形成される。
【００１９】
上記の第二冶具７は、両側板部７ｂ，７ｃを床下地（床コンクリート１）又は床型枠に両面粘着テープや瞬間接着剤で取り付けて使用するものであり、図７に実線と仮想線で示すように、折り曲げ線ａ，ｂ，ｃでの折曲げ角度を調節することによって、中央板部７ａの稜線部分に形成された係止部８の高さを調節するように構成されている。
【００２０】
図１、図２に示す実施形態では、露出防水の下地となる床面に排水勾配を付けるにあたり、必要個数の第一冶具４及び第二冶具７を用い、第一冶具４を床コンクリート１に、前記線材５が排水を導きたい位置である排水口３を頂点Ａ１，Ａ２，Ａ３，Ａ４とする平面視三角形（三角形Ａ１，Ｂ，Ｃ１、三角形Ａ１，Ｂ，Ｃ２、三角形Ａ２，Ｂ，Ｃ２、三角形Ａ２，Ｂ，Ｃ３、三角形Ａ３，Ｂ，Ｃ３、三角形Ａ３，Ｂ，Ｃ４、三角形Ａ４，Ｂ，Ｃ４、三角形Ａ４，Ｂ，Ｃ１）となるように張り渡し、且つ、床コンクリート１に両面粘着テープや瞬間接着剤で取り付ける第二冶具７の係止部８の高さ調節によって各三角形における残り二つの頂点Ｂ，Ｃ１，Ｃ２，Ｃ３，Ｃ４が前記頂点Ａ１，Ａ２，Ａ３，Ａ４より高くなるように前記線材５を傾斜させている。
【００２１】
そして、前記線材５で囲まれた三角形Ａ１，Ｂ，Ｃ１、三角形Ａ１，Ｂ，Ｃ２、三角形Ａ２，Ｂ，Ｃ２、三角形Ａ２，Ｂ，Ｃ３、三角形Ａ３，Ｂ，Ｃ３、三角形Ａ３，Ｂ，Ｃ４、三角形Ａ４，Ｂ，Ｃ４、三角形Ａ４，Ｂ，Ｃ１の床面部分を線材５のレベルまで平坦にコンクリート又はモルタル９を塗布（図２のハ参照）したり、ルーフィング片を重ね貼りする等、各種の方法で嵩上げすることによって、所定の下地勾配を設定し、各三角形の床面部分の排水の全てが頂点Ａ１，Ａ２，Ａ３，Ａ４に向けて導かれるようにしている。第二冶具７の下地面からの突出部分は、その後施工される床仕上げ面に埋め込んでもよく、切除した後、床仕上げ面を施工してもよい。
【００２２】
尚、図１の例では、頂点Ｂに配置した第二冶具７の係止部８を最も高くし、頂点Ｃ１，Ｃ２，Ｃ３，Ｃ４，に配置した第二冶具７の係止部８をそれよりも低くしてあるが、頂点Ｂと頂点Ｃ２，Ｃ４に配置する第二冶具７とを同一高さとし、頂点Ｃ１，Ｃ３に配置する第二冶具７をそれよりも低くしてもよい。
【００２３】
第一冶具４は、両端のフック６を排水口３や第二冶具７の係止部８に引っ掛けたり、線材５の中間部分を第二冶具７の係止部８に引っ掛ける等して平面視三角形に張り渡すことができる。図１の例では、第一冶具４を頂点Ａ１，Ａ３間に張り渡し、当該第一冶具４の線材５の中間部を頂点Ｂに配置した第二冶具７の係止部８で持ち上げて、線材５を所定の角度に傾斜させている。同様に、他の第一冶具４を、頂点Ａ２，Ａ４間に張り渡し、当該第一冶具４の線材５の中間部を頂点Ｂに配置した第二冶具７の係止部８で持ち上げて、線材５を所定の角度に傾斜させている。頂点Ａ１，Ａ２間、頂点Ａ２，Ａ３間、頂点Ａ３，Ａ４間、頂点Ａ１，Ａ４間には、夫々、別の第一冶具４を張り渡し、それらの線材５の中間部を頂点Ｃ２，Ｃ３，Ｃ４，Ｃ１に配置した第二冶具７の係止部８で持ち上げて、それらの線材５を所定の角度に傾斜させている。頂点Ｃ１に配置した第二冶具７の係止部８と頂点Ｃ３に配置した第二冶具７の係止部８との間には別の第一冶具４を張り渡し、当該第一冶具４の線材５の中間部を頂点Ｂに配置した第二冶具７の係止部８で持ち上げて、線材５を所定の角度に傾斜させている。また、頂点Ｂと頂点Ｃ２に配置した第二冶具７の係止部８間、頂点Ｂと頂点Ｃ４に配置した第二冶具７の係止部８間に、夫々、別の第一冶具４を張り渡してある。
【００２４】
図示の例では、頂点Ｂに配置した第二冶具７を最も高くし、頂点Ｃ２，Ｃ４に配置した第二冶具７をそれよりも低くしてあるので、それらの間に張り渡された線材５は所定の角度に傾斜することになるが、頂点Ｂと頂点Ｃ２，Ｃ４に配置する第二冶具７とを同一高さとする場合には、それらの間に張り渡された線材５は水平となる。
【００２５】
いずれの場合も、上記の構成によれば、線材５によって囲まれた三角形の床面部分を線材５のレベルまで平坦に嵩上げすることによって、所定の下地勾配が設定される。従って、三角形Ａ１，Ｂ，Ｃ１、三角形Ａ１，Ｂ，Ｃ２の床面部分の排水は頂点Ａ１の排水口３へと導かれ、三角形Ａ２，Ｂ，Ｃ２、三角形Ａ２，Ｂ，Ｃ３の床面部分の排水は頂点Ａ２の排水口３へと導かれ、三角形Ａ３，Ｂ，Ｃ３、三角形Ａ３，Ｂ，Ｃ４の床面部分の排水は頂点Ａ３の排水口３へと導かれ、三角形Ａ４，Ｂ，Ｃ４、三角形Ａ４，Ｂ，Ｃ１の床面部分の排水は頂点Ａ４の排水口３へと導かれることになる。
【００２６】
上述した床排水勾配の施工方法を模式的に示した図８に基づいて説明すると、この方法は、床面に排水勾配を付けるにあたり、前記第一冶具４と前記第二冶具７とを用い、第一冶具４を床下地又は床型枠に、前記線材５が排水を導きたい位置（例えば、排水口や会所枡）を頂点Ａとする平面視三角形となるように張り渡し、且つ、床下地又は床型枠に取り付けた第二冶具７の高さ調節によって残り二つの頂点Ｂ，Ｃが前記頂点Ａより高くなるように前記線材５を傾斜させ、当該線材５で囲まれた三角形の床面部分を線材５のレベルまで平坦に施工することにより、三角形の床面部分の何れの位置にある排水も頂点Ａへ向けて導かれるようにしたものである。
【００２７】
このように、第一冶具４と第二冶具７を用いて、実際の床面で必要とされる排水勾配を平面視三角形に張り渡した３本のライン（第一冶具４の線材５）による面として表現するので、点状の目安に基づいて所定の勾配となるようにコンクリート打設やモルタル塗りを行う場合よりも施工が容易である。
【００２８】
しかも、張り渡される平面視三角形を基本とし、これを必要個数連続する状態に張り渡して、床面全体を複数の平面視三角形に区画することが可能であるから、例えば、図９に
示すように、複雑な平面形状の床面でも、床面全体の排水勾配を平面視三角形の集まりとして表現することができる。従って、側溝を設けずに複数の排水口に向かって勾配をとる必要がある露出防水や、複数の会所枡に向かって勾配をとる会所形式の工場床など複雑な面構成が求められる場合であっても、容易に下地勾配を設定できる。
【００２９】
図１０は、第二冶具７の他の例を示す。この第二冶具７は、両側板部７ｂ，７ｃのうち、一方の側板部７ｂを中央板部７ａと同方向に折れ曲がるように構成すると共に、当該側板部７ｂを他方の側板部７ｃよりも長くして、短い側板部７ｃを長い側板部７ｂの上に重ね合わせるように構成し、長い側板部７ｂの表面に係止部８の高さを表示する目盛１０を付け、短い側板部７ｃの端縁と重なる目盛１０の選択によって、係止部８の高さが表示されるように構成した点に特徴がある。
【００３０】
この第二冶具７を使用すれば、第二冶具７ごとに係止部８の高さを表示できるので、第一冶具の線材を傾斜状態に張り渡すことが容易であり、施工性を一層向上することができる。
【００３１】
図１１は、第二冶具７の他の例を示す。この第二冶具７は、上端にＶ字状の金具よりなる係止部８が設けられたねじ軸１１と、当該ねじ軸１１と螺合するねじ孔を有し、下端に取付け用フランジ１２ａを有する雌ねじ状金具１２とで構成し、雌ねじ状金具１２に対するねじ軸１１の回転によって係止部８の高さを調節するようにした点に特徴がある。
【００３２】
この第二冶具７は、上下寸法の割りに平面形状が小さくて済むので、新築工事における床面の排水勾配の施工に用いることが容易である。即ち、新築工事では、図１２に示すように、第二冶具７を床型枠１３に取り付けて第一冶具４の線材５を張り渡すことになるから、第二冶具７の平面形状が大きいと、床配筋１４が邪魔になるが、上記の第二冶具７では、平面形状が小さいので、床配筋１４を避けた状態に配置することが容易である。
【００３３】
以上、図面に基づいて本発明の実施形態を説明したが、本発明は図示の実施形態に限定されるものではなく、本発明の要旨を逸脱しない範囲において、本発明が種々なる態様で実施し得ることは勿論である。
【図面の簡単な説明】
【００３４】
【図１】本発明に係る床排水勾配の施工方法を説明する斜視図である。
【図２】施工手順を説明する要部の縦断側面図である。
【図３】第一冶具の構成を説明する図である。
【図４】第一冶具の他の実施形態を示す図である。
【図５】使用状態に変形させた第二冶具の斜視図である。
【図６】変形前の第二冶具の斜視図である。
【図７】第二冶具の高さ調節方法を説明する図である。
【図８】本発明に係る床排水勾配の施工方法を模式的に示した平面図である。
【図９】本発明に係る床排水勾配の施工方法を複雑な面構成の床面に適用した例を模式的に示した平面図である。
【図１０】第二冶具の他の実施形態を示す斜視図である。
【図１１】第二冶具の他の実施形態を示す斜視図である。
【図１２】図１１に示す第二冶具の使用状態を説明する要部の縦断側面図である。
【符号の説明】
【００３５】
Ａ，Ｂ，Ｃ  頂点
４  第一冶具
５  線材
６  フック
７  第二冶具
８  係止部
【図１】
2006265931.tif 000003
【図２】
2006265931.tif 000004
【図３】
2006265931.tif 000005
【図４】
2006265931.tif 000006
【図５】
2006265931.tif 000007
【図６】
2006265931.tif 000008
【図７】
2006265931.tif 000009
【図８】
2006265931.tif 000010
【図９】
2006265931.tif 000011
【図１０】
2006265931.tif 000012
【図１１】
2006265931.tif 000013
【図１２】
2006265931.tif 000014